(57)【特許請求の範囲】
【請求項１】
（ａ）帳票の画像データを入力する画像入力手段と、
（ｂ）前記画像データから文字情報を読み取って文字認識処理を行う文字認識処理手段と、
（ｃ）前記文字認識処理によって文字情報を含む前記帳票の帳票データをグループ化して記憶手段に格納するグループ化処理手段と、
（ｄ）前記記憶手段に格納された帳票データの表示又は訂正を行う帳票データ処理手段とを有する帳票読取装置であって、
（ｅ）前記帳票は、複数枚を１組とした帳票束にグループ化されるとともに、各帳票束の先頭に、ヘッダ帳票を識別するための識別番号と、グループ化された帳票束を識別するためのグループ情報と、帳票データの表示又は訂正を行う操作者を識別するための操作者識別情報とを含むヘッダ情報を備えるヘッダ帳票が追加された状態で、前記画像入力手段によって一括して画像が入力され、
（ｆ）前記グループ化処理手段は、前記ヘッダ情報に基づいて前記帳票データをグループ化し、前記ヘッダ情報に含まれる識別番号、グループ情報及び操作者識別情報を紐付けして、前記ヘッダ情報とともに前記記憶手段に格納し、
（ｇ）前記帳票データ処理手段は、操作者によって入力された操作者識別情報に基づいて前記記憶手段に格納されたヘッダ情報を検索し、一致した操作者識別情報に対応する帳票束の帳票データを抽出して表示又は訂正を可能とすることを特徴とする帳票読取装置。
【請求項２】
前記グループ化処理手段は、前記帳票データのうちの一つのヘッダ帳票から次のヘッダ帳票までの帳票データを、１組の帳票束に属する帳票の帳票データとしてグループ化する請求項１に記載の帳票読取装置。
【請求項３】
（ａ）帳票読取のためにコンピュータを、
（ｂ）帳票の画像データを入力する画像入力手段と、
（ｃ）前記画像データから文字情報を読み取って文字認識処理を行う文字認識処理手段と、
（ｄ）前記文字認識処理によって文字情報を含む前記帳票の帳票データをグループ化して記憶手段に格納するグループ化処理手段と、
（ｅ）前記記憶手段に格納された帳票データの表示又は訂正を行う帳票データ処理手段とを有する帳票読取装置として機能させるプログラムであって、
（ｆ）前記帳票は、複数枚を１組とした帳票束にグループ化されるとともに、各帳票束の先頭に、ヘッダ帳票を識別するための識別番号と、グループ化された帳票束を識別するためのグループ情報と、帳票データの表示又は訂正を行う操作者を識別するための操作者識別情報とを含むヘッダ情報を備えるヘッダ帳票が追加された状態で、前記画像入力手段によって一括して画像が入力され、
（ｇ）前記グループ化処理手段は、前記ヘッダ情報に基づいて前記帳票データをグループ化し、前記ヘッダ情報に含まれる識別番号、グループ情報及び操作者識別情報を紐付けして、前記ヘッダ情報とともに前記記憶手段に格納し、
（ｈ）前記帳票データ処理手段は、操作者によって入力された操作者識別情報に基づいて前記記憶手段に格納されたヘッダ情報を検索し、一致した操作者識別情報に対応する帳票束の帳票データを抽出して表示又は訂正を可能とするプログラム。
【請求項４】
前記グループ化処理手段は、前記帳票データのうちの一つのヘッダ帳票から次のヘッダ帳票までの帳票データを、１組の帳票束に属する帳票の帳票データとしてグループ化する請求項３に記載のプログラム。
【発明の詳細な説明】
【技術分野】
【０００１】
本発明は、帳票読取装置及びプログラムに関するものである。
【背景技術】
【０００２】
従来、企業、行政機関、医療機関等の組織においては、業務日報、申告書類、診断表等の帳票に記録された情報を、人手によらず自動的にコンピュータに入力し、電子データとして処理するために、帳票に記録された文字情報を読み取るためのＯＣＲ（Ｏｐｔｉｃａｌ  Ｃｈａｒａｃｔｅｒ  Ｒｅａｄｅｒ）機能を備えた帳票読取装置が使用されている（例えば、特許文献１参照。）。
【０００３】
ところで、前記帳票には、複数枚の帳票を１組として構成されたグループ帳票又は帳票束と称される種類のものが存在する。例えば、医療機関の診断表であれば、１人の患者について、それぞれが申込用紙、問診票、検査結果一覧等である複数の帳票を１組として構成された帳票束が使用されている。
【０００４】
そこで、帳票束が含む複数枚の帳票に記録された情報を一括して入力し、データ処理を行う帳票読取装置が提案されている。該帳票読取装置では、帳票を各帳票束毎にグルーピングし、グルーピングされた各帳票束の先頭に文書識別情報等のヘッダ情報を含むヘッダ帳票を挟んだ状態で、すべての帳票の読取を一括して行うようになっている。すると、前記帳票読取装置は、一つのヘッダ帳票から次のヘッダ帳票までを１組の帳票束として認識し、帳票に記録された情報の表示又は訂正、所定の形式のファイルへの出力等の処理を、読取時にグルーピングされた各帳票束単位で行う。
【先行技術文献】
【特許文献】
【０００５】
【特許文献１】特開２００７−５２６８２号公報
【発明の概要】
【発明が解決しようとする課題】
【０００６】
しかしながら、前記従来の帳票読取装置においては、帳票に記録された情報の表示又は訂正を行う場合、表示又は訂正の操作を行う操作者は、読み取られ記憶されたすべての帳票に記録された情報の中から、表示又は訂正の対象となる情報を検索して抽出する必要がある。そのため、表示又は訂正操作に時間がかかり、作業効率が低下してしまう。
【０００７】
また、帳票が業務日報、申告書類、診断表等である場合には、各帳票毎に情報の表示又は訂正を行う権限を有する者があらかじめ定められていることが多い。しかし、前記従来の帳票読取装置においては、権限を有していない操作者であっても、帳票に記録された情報の表示又は訂正の操作を行うことができてしまうので、情報のセキュリティが低下してしまう。
【０００８】
本発明は、前記従来の帳票読取装置の問題点を解決して、ヘッダ帳票のヘッダ情報で識別された操作者のみが帳票に記録された情報の表示又は訂正の操作を行うことができるようにして、帳票に記録された情報の表示又は訂正を行う際に、対象となる情報の検索が不要となり、作業効率を向上させることができ、所定の権限を有しない者による情報の表示又は訂正の操作が不能となり、セキュリティを向上させることができる帳票読取装置及びプログラムを提供することを目的とする。
【課題を解決するための手段】
【０００９】
そのために、本発明の帳票読取装置においては、帳票の画像データを入力する画像入力手段と、前記画像データから文字情報を読み取って文字認識処理を行う文字認識処理手段と、前記文字認識処理によって文字情報を含む前記帳票の帳票データをグループ化して記憶手段に格納するグループ化処理手段と、前記記憶手段に格納された帳票データの表示又は訂正を行う帳票データ処理手段とを有する帳票読取装置であって、前記帳票は、複数枚を１組とした帳票束にグループ化されるとともに、各帳票束の先頭に、ヘッダ帳票を識別するための識別番号と、グループ化された帳票束を識別するためのグループ情報と、帳票データの表示又は訂正を行う操作者を識別するための操作者識別情報とを含むヘッダ情報を備えるヘッダ帳票が追加された状態で、前記画像入力手段によって一括して画像が入力され、前記グループ化処理手段は、前記ヘッダ情報に基づいて前記帳票データをグループ化し、前記ヘッダ情報に含まれる識別番号、グループ情報及び操作者識別情報を紐付けして、前記ヘッダ情報とともに前記記憶手段に格納し、前記帳票データ処理手段は、操作者によって入力された操作者識別情報に基づいて前記記憶手段に格納されたヘッダ情報を検索し、一致した操作者識別情報に対応する帳票束の帳票データを抽出して表示又は訂正を可能とする。
【００１０】
本発明の他の帳票読取装置においては、さらに、前記グループ化処理手段は、前記帳票データのうちの一つのヘッダ帳票から次のヘッダ帳票までの帳票データを、１組の帳票束に属する帳票の帳票データとしてグループ化する。
【００１２】
本発明のプログラムにおいては、帳票読取のためにコンピュータを、帳票の画像データを入力する画像入力手段と、前記画像データから文字情報を読み取って文字認識処理を行う文字認識処理手段と、前記文字認識処理によって文字情報を含む前記帳票の帳票データをグループ化して記憶手段に格納するグループ化処理手段と、前記記憶手段に格納された帳票データの表示又は訂正を行う帳票データ処理手段とを有する帳票読取装置として機能させるプログラムであって、前記帳票は、複数枚を１組とした帳票束にグループ化されるとともに、各帳票束の先頭に、ヘッダ帳票を識別するための識別番号と、グループ化された帳票束を識別するためのグループ情報と、帳票データの表示又は訂正を行う操作者を識別するための操作者識別情報とを含むヘッダ情報を備えるヘッダ帳票が追加された状態で、前記画像入力手段によって一括して画像が入力され、前記グループ化処理手段は、前記ヘッダ情報に基づいて前記帳票データをグループ化し、前記ヘッダ情報に含まれる識別番号、グループ情報及び操作者識別情報を紐付けして、前記ヘッダ情報とともに前記記憶手段に格納し、前記帳票データ処理手段は、操作者によって入力された操作者識別情報に基づいて前記記憶手段に格納されたヘッダ情報を検索し、一致した操作者識別情報に対応する帳票束の帳票データを抽出して表示又は訂正を可能とする。
本発明の他のプログラムにおいては、さらに、前記グループ化処理手段は、前記帳票データのうちの一つのヘッダ帳票から次のヘッダ帳票までの帳票データを、１組の帳票束に属する帳票の帳票データとしてグループ化する。
【発明の効果】
【００１３】
本発明によれば、帳票読取装置においては、ヘッダ帳票のヘッダ情報で識別された操作者のみが帳票に記録された情報の表示又は訂正の操作を行うことができるようになっている。これにより、帳票に記録された情報の表示又は訂正を行う際に、対象となる情報の検索が不要となり、作業効率を向上させることができる。また、権限を有しない者による情報の表示又は訂正の操作が不能となり、セキュリティを向上させることができる。
【図面の簡単な説明】
【００１４】
【図１】本発明の実施の形態におけるシステムのハードウェアの構成を示す図である。
【図２】本発明の実施の形態におけるヘッダ帳票の例を示す図である。
【図３】本発明の実施の形態におけるシステムの機能構成を示すブロック図である。
【図４】本発明の実施の形態における帳票読取装置の帳票データの表示又は訂正を行う動作を示すフローチャートである。
【発明を実施するための形態】
【００１５】
以下、本発明の実施の形態について図面を参照しながら詳細に説明する。
【００１６】
図１は本発明の実施の形態におけるシステムのハードウェアの構成を示す図、図２は本発明の実施の形態におけるヘッダ帳票の例を示す図である。
【００１７】
図において、１０は本実施の形態における帳票読取装置であり、画像入力装置としてのスキャナ装置１１、ＯＣＲ処理装置１２及び帳票データ処理装置１３を有する。なお、前記スキャナ装置１１、ＯＣＲ処理装置１２及び帳票データ処理装置１３は、ＬＡＮ（Ｌｏｃａｌ  Ａｒｅａ  Ｎｅｔｗｏｒｋ）、イントラネット等の通信ネットワークを介して、相互に通信可能に接続されている。前記帳票読取装置１０は、企業、行政機関、医療機関等の各種の組織において、業務日報、申告書類、診断表等の各種の帳票１４ａに記録された情報を電子データとして処理するために入力するためのコンピュータシステムであるが、いかなる場所に配設され、いかなる種類の帳票１４ａに記録された情報を入力するためのものであってもよい。
【００１８】
ここで、前記スキャナ装置１１は、ページスキャナ、フラットベッドスキャナ、シートフィードスキャナ、ドラムスキャナ等であるが、いかなる種類のスキャナであってもよい。また、前記スキャナ装置１１は、カラー画像の読取が可能なカラースキャナであることが望ましいが、モノクロスキャナであってもよい。本実施の形態において、前記スキャナ装置１１は、帳票１４ａに光を照射する蛍光灯等から成る光源及び帳票１４ａの表面からの反射光を受光するＣＣＤ（Ｃｈａｒｇｅ  Ｃｏｕｐｌｅｄ  Ｄｅｖｉｃｅ）等から成るライン型イメージセンサのようなイメージセンサを備え、帳票１４ａの画像を走査しながら読み取る画像読取部、ホッパ、搬送経路、スタッカ等を有し、複数枚の帳票１４ａを順次読み取ることができるようになっている。
【００１９】
そして、前記ホッパは、複数枚の帳票１４ａを積重ねた状態で収納する。また、前記搬送経路は、ベルト、ローラ等の搬送装置を備えてスキャナ装置１１内に形成され、前記ホッパ内に積重ねられた複数枚の帳票１４ａが紙送り装置によって一番上又は一番下から順次送り込まれると、送り込まれた帳票１４ａを前記画像読取部に搬送する。さらに、前記搬送経路は、前記画像読取部において画像データ、すなわち、イメージデータを取得された帳票１４ａを搬送して前記スタッカに排出するようになっている。さらに、該スタッカは、画像読取部において読取処理が行われて排出された帳票１４ａを収納する収納装置であり、複数の収納棚を備える。前記スタッカに排出された帳票１４ａは、自動仕分け装置等によって自動的に仕分けされて各収納棚に収納される。
【００２０】
また、前記ＯＣＲ処理装置１２は、ＣＰＵ、ＭＰＵ等の演算手段、磁気ディスク、半導体メモリ等の記憶手段、キーボード、マウス、押しボタン、タッチパネル等の入力手段、ＣＲＴ、液晶ディスプレイ、ＬＥＤ（Ｌｉｇｈｔ  Ｅｍｉｔｔｉｎｇ  Ｄｉｏｄｅ）ディスプレイ等の表示手段、通信インターフェイス等を備えるコンピュータである。なお、前記ＯＣＲ処理装置１２は、例えば、パーソナルコンピュータであるが、サーバ、ワークステーション等いかなる種類のコンピュータであってもよい。そして、前記ＯＣＲ処理装置１２は、インストールされたソフトウェアに従って作動することによって、スキャナ装置１１から取得した帳票１４ａのイメージデータから文字情報を読み取るためのＯＣＲ機能を発揮し、文字認識処理を行う。文字認識処理の結果は、帳票１４ａに記録された情報、すなわち、帳票データの一部として記憶手段に保存される。
【００２１】
さらに、前記帳票データ処理装置１３も、ＯＣＲ処理装置１２と同様に、ＣＰＵ、ＭＰＵ等の演算手段、磁気ディスク、半導体メモリ等の記憶手段、キーボード、マウス、押しボタン、タッチパネル等の入力手段、ＣＲＴ、液晶ディスプレイ、ＬＥＤディスプレイ等の表示手段、通信インターフェイス等を備えるコンピュータである。なお、前記帳票データ処理装置１３も、例えば、パーソナルコンピュータであるが、サーバ、ワークステーション等いかなる種類のコンピュータであってもよい。前記帳票読取装置１０の操作者は、帳票データ処理装置１３を操作して、前記帳票データの表示又は訂正を行う。
【００２２】
本実施の形態において、帳票１４ａは、例えば、業務日報、申告書類、診断表等のように複数枚の帳票１４ａを１組として構成された帳票束１４（又はグループ帳票）と称されるものである。そして、スキャナ装置１１のホッパに帳票１４ａをセットする際には、該帳票１４ａを各帳票束１４毎にグループ化、すなわち、グルーピングし、グルーピングされた各帳票束１４の先頭に、図２に示されるように、文書識別情報等のヘッダ情報１５を含むヘッダ帳票１４ｂを挟んだ状態でセットする。そして、スキャナ装置１１によって、セットされたすべての帳票１４ａの読取を一括して行うようになっている。すると、前記帳票読取装置１０は、一つのヘッダ帳票１４ｂから次のヘッダ帳票１４ｂまでを１組の帳票束１４として認識する。また、帳票１４ａに記録された情報の表示又は訂正、所定の形式のファイルへの出力等の処理は、各帳票束１４単位で行われる。
【００２３】
図２に示される例において、ヘッダ情報１５は、文字列ａａａｂｂｂｂｂｃｃｃｃｃを含んでいる。ここで、ａａａは、ヘッダ帳票１４ｂを識別するための情報としての識別番号であり、ｂｂｂｂｂは、グルーピングされた帳票束１４を識別するためのグループ情報としての識別番号であり、ｃｃｃｃｃは、前記帳票データ処理装置１３を操作して帳票束１４に含まれる帳票１４ａの帳票データの表示又は訂正を行う操作者を識別するための操作者識別情報としての識別番号である。なお、前記操作者は、帳票１４ａの帳票データの表示又は訂正を行う権限をあらかじめ付与された者であり、各帳票束１４にあらかじめ定められている。また、前記帳票データには、文字認識処理の結果として認識された文字情報、及び、帳票１４ａに記録された文字以外の情報（例えば、図、写真等の情報）が含まれる。
【００２４】
次に、前記帳票読取装置１０の機能について説明する。
【００２５】
図３は本発明の実施の形態におけるシステムの機能構成を示すブロック図である。
【００２６】
本実施の形態における帳票読取装置１０は、機能の観点から、図に示されるように、帳票入力処理部２１、文字認識処理部２２、グループ化処理部２３、帳票データ処理部２４及びデータ記憶部２５を有する。
【００２７】
前記帳票入力処理部２１は、前記スキャナ装置１１とともに画像入力手段として機能し、ヘッダ帳票１４ｂが先頭に追加されてスキャナ装置１１のホッパにセットされた帳票束１４の帳票１４ａの画像読取及び読み取ったイメージデータの入力を一括して行う。この場合、一つの帳票束１４に限らず、スキャナ装置１１のホッパにセットされた複数の帳票束１４（図に示される例では、帳票束１４−１、１４−２及び１４−３）のすべての帳票１４ａの画像読取及びイメージデータの入力を一括して行うことができる。
【００２８】
また、前記文字認識処理部２２は、帳票入力処理部２１によって入力された帳票１４ａのイメージデータから文字情報を読み取って文字認識処理を行う文字認識処理手段である。この場合、ヘッダ帳票１４ｂのイメージデータに含まれるヘッダ情報１５の文字認識処理を行うとともに、各帳票１４ａのイメージデータに含まれる各種の文字の文字認識処理を行う。
【００２９】
さらに、前記グループ化処理部２３は、文字認識処理部２２によって文字認識処理が行われたヘッダ情報１５に基づき、各帳票１４ａの帳票データを帳票束１４毎にグルーピングしてデータ記憶部２５に格納するグループ化処理手段である。具体的には、順次取得された複数枚の帳票１４ａの帳票データのうちの、一つのヘッダ帳票１４ｂから次のヘッダ帳票１４ｂまでの帳票データを、１組の帳票束１４に属する帳票１４ａの帳票データとしてグルーピングする。例えば、ヘッダ帳票１４−１ｂからヘッダ帳票１４−２ｂまでの帳票データを第１の帳票束１４−１に属する帳票１４−１ａの帳票データとしてグルーピングし、ヘッダ帳票１４−２ｂからヘッダ帳票１４−３ｂまでの帳票データを第２の帳票束１４−２に属する帳票１４−２ａの帳票データとしてグルーピングする。
【００３０】
そして、グルーピングされた帳票データは、その先頭に置かれたヘッダ帳票１４ｂのヘッダ情報１５に含まれるヘッダ帳票１４ｂを識別するための識別番号、グループ情報、操作者識別情報等の情報が紐（ひも）付けされて、記憶手段としてのデータ記憶部２５に格納される。
【００３１】
さらに、前記帳票データ処理部２４は、操作者による帳票データ処理装置１３の操作に応じて、データ記憶部２５に格納されている帳票１４ａの帳票データを帳票データ処理装置１３の表示手段に表示するともに、操作者による帳票データの訂正操作に応じて対応する帳票データを訂正する帳票データ処理手段である。具体的には、操作者によって入力された操作者識別情報としての識別番号に基づいてデータ記憶部２５に格納されたヘッダ情報を検索し、一致した識別番号に対応する帳票束１４の帳票データを抽出して表示又は訂正を可能とする。なお、前記データ記憶部２５に格納されている帳票１４ａの帳票データは、訂正された帳票データによって上書きされ、訂正される。
【００３２】
次に、前記構成の帳票読取装置１０の動作について説明する。ここでは、帳票データの表示又は訂正を行う動作についてのみ説明する。
【００３３】
図４は本発明の実施の形態における帳票読取装置の帳票データの表示又は訂正を行う動作を示すフローチャートである。
【００３４】
まず、操作者は、帳票データ処理装置１３を操作して、ログオン操作を行う。ここで、前記操作者は、所定の帳票束１４に含まれる帳票１４ａの帳票データの表示又は訂正を行う権限をあらかじめ付与された者であり、操作者識別情報としての識別番号も付与されているものとする。そして、操作者は、ログオン操作の際に、自分の識別番号を入力する。該識別番号の入力は、キーボード等の入力手段を操作することによってマニュアルで行われてもよいし、操作者の保持するＩＤカードが備える磁気テープ等の記憶手段に記憶されている電子データをカードリーダ等の読取手段が読み取ることによって行われてもよい。
【００３５】
すると、帳票データ処理部２４は、操作者識別情報取得を行い、ログオン操作によって入力された操作者の識別番号を取得する。
【００３６】
続いて、帳票データ処理部２４は、操作者識別情報検索処理を実行し、取得した操作者の識別番号に基づき、データ記憶部２５に格納されているすべての帳票データの中から前記操作者が処理可能な帳票データの検索を行う。具体的には、取得した操作者の識別番号を検索キーとして、データ記憶部２５に記憶されているグルーピングされた帳票データに紐付けされている操作者識別情報としての識別番号を検索する。
【００３７】
そして、帳票データ処理部２４は、識別情報が一致するか否かを判断する。具体的には、取得した操作者の識別番号と一致する識別番号が紐付けされた帳票データがデータ記憶部２５に記憶されているか否かを判断する。
【００３８】
ここで、識別情報が一致する場合、すなわち、取得した操作者の識別番号と一致する識別番号が紐付けされた帳票データがデータ記憶部２５に格納されている場合、帳票データ処理部２４は、処理可能データ抽出処理を実行する。具体的には、取得した操作者の識別番号と一致する識別番号が紐付けされた帳票データを、処理可能データとして、データ記憶部２５から抽出する。
【００３９】
続いて、帳票データ処理部２４は、帳票データ処理を実行する。具体的には、データ記憶部２５から処理可能データとして抽出した帳票データの識別番号、名称等の情報をグループ単位で帳票データ処理装置１３の表示手段にリストとして表示させる。すなわち、帳票データ処理装置１３の表示手段に帳票束１４のリストを表示する。すると、操作者は、表示されたリストの中から所望の帳票束１４を選択し、選択した帳票束１４に含まれる帳票１４ａの中から所望の帳票１４ａの帳票データを更に選択して表示させる。さらに、操作者は、必要に応じて、表示させた帳票データの所望の部分を訂正する。
【００４０】
そして、帳票データの表示又は訂正が終了すると、帳票データ処理部２４は処理を終了する。
【００４１】
なお、識別情報が一致しない場合、すなわち、取得した操作者の識別番号と一致する識別番号が紐付けされた帳票データがデータ記憶部２５に記憶されていない場合、帳票データ処理部２４は、処理可能データ抽出処理を実行することなく、帳票データ処理を実行する。この場合、帳票データ処理部２４は、処理可能データ、すなわち、表示又は訂正を行うことが可能な帳票データが存在しない旨を帳票データ処理装置１３の表示手段に表示させて、処理を終了する。
【００４２】
次に、フローチャートについて説明する。
ステップＳ１  ログオン操作を行う。
ステップＳ２  操作者識別情報取得を行う。
ステップＳ３  操作者識別情報検索処理を実行する。
ステップＳ４  識別情報が一致するか否かを判断する。識別情報が一致する場合はステップＳ５に進み、識別情報が一致しない場合はステップＳ６に進む。
ステップＳ５  処理可能データ抽出処理を実行する。
ステップＳ６  帳票データ処理を実行し、処理を終了する。
【００４３】
このように、本実施の形態においては、帳票束１４の先頭に、操作者識別情報が含まれたヘッダ情報１５を備えるヘッダ帳票１４ｂを配置して帳票１４ａの画像読取を行い、記憶された帳票１４ａの帳票データの表示又は訂正を行う際には、操作者が前記操作者識別情報で識別された者である場合にのみ、当該帳票データの表示又は訂正を可能とするようになっている。
【００４４】
これにより、操作者識別情報に基づいて記憶された帳票データを検索することができるので、帳票データの表示又は訂正を行う際に、対象となる帳票データを操作者が改めて検索する必要がなく、自動的に抽出することができ、帳票データの表示又は訂正の作業を容易にかつ短時間で行うことができ、作業効率を向上させることができる。
【００４５】
また、操作者識別情報によって、操作者が当該帳票データの表示又は訂正を行う権限をあらかじめ付与された者であるか否かを判別し得るので、権限を有しない者による当該帳票データの表示又は訂正の操作が不能となる。したがって、セキュリティを向上させることができる。
【００４６】
なお、本発明は前記実施の形態に限定されるものではなく、本発明の趣旨に基づいて種々変形させることが可能であり、それらを本発明の範囲から排除するものではない。
【産業上の利用可能性】
【００４７】
本発明は、帳票読取装置及びプログラムに適用することができる。
【符号の説明】
【００４８】
１０    帳票読取装置
１１    スキャナ装置
１２    ＯＣＲ処理装置
１３    帳票データ処理装置
１４、１４−１、１４−２、１４−３    帳票束
１４ａ、１４−１ａ、１４−２ａ    帳票
１４ｂ、１４−１ｂ、１４−２ｂ、１４−３ｂ    ヘッダ帳票
１５    ヘッダ情報
２１    帳票入力処理部
２２    文字認識処理部
２３    グループ化処理部
２４    帳票データ処理部
２５    データ記憶部
【図１】
0005629474.tif 000002
【図２】
0005629474.tif 000003
【図３】
0005629474.tif 000004
【図４】
0005629474.tif 000005